(57)【要約】  【課題】空気吸入による音鳴りの発生を抑え、マイクロバブルの安定供給および吐水器の特定部位における通水路中への取り付け構造の簡素化が可能で、部品点数が少なくてすむバブル発生装置付吐水器およびその吐水器に設けられる吐水器用バブル発生アダプターを提供すること。  【解決手段】バブル発生装置付吐水器Ｄには、流路ｉ途中に並列状態の複数のベンチュリ管部７，８，９，１０を備えたアタプター１１が着脱自在に設けられている。【選択図】  図１
2015209723.tif 000002
【特許請求の範囲】
【請求項１】
流路途中に並列状態の複数のベンチュリ管部を備えたアタプターを着脱自在に設けたバブル発生装置付吐水器。
【請求項２】
吐水器の流路途中に着脱自在に設けられる吐水器用バブル発生アダプターであって、並列状態の複数のベンチュリ管部を備えた吐水器用バブル発生アダプター。
【発明の詳細な説明】
【技術分野】
【０００１】
この発明は、バブル発生装置付吐水器および吐水器用バブル発生アダプターに関するものである。
【背景技術】
【０００２】
例えば下記特許文献１，２には、洗浄効果の高い気泡入り水を吐出して被洗浄物を効率良く且つ効果的に洗浄するための機能を有する単一のベンチュリ管を備えたマイクロバブル吐水器が開示されており、その微細気泡発生方法として、前記ベンチュリ管の流水中において、負圧発生前に空気を混入させた後、流水中に負圧を発生させ負圧により微細気泡とする方法が提案されている。また、空気を混入させる別の微細気泡発生方法として、ベンチュリ管の流水中に負圧を発生させた後に空気を吸い込ませる方法もある。
【先行技術文献】
【特許文献】
【０００３】
【特許文献１】特開２００９−２５７０２３号公報
【特許文献２】特開２０１０−７３１５号公報
【発明の概要】
【発明が解決しようとする課題】
【０００４】
しかしながら、この従来のマイクロバブル吐水器では、空気の吸い込みが必要であり、空気を吸い込む構造には、以下の課題がある。（１）空気吸入のため音鳴りが酷い。（２）ベンチュリ管に空気吸入部を設けるため、これを前記吐水器の例えばシャワーヘッドの通水路中に取り付ける場合、前記吐水器が既設のタイプのものであれ、また、新品のものであっても、取り付け構造が複雑になり、部品点数が増えるおそれがある。また、同様の課題は、例えば浴室用の吐水器のシャワーヘッドの通水路中に空気吸入部付きベンチュリ管を取り付ける場合にも発生する。
【０００５】
この発明の目的は、空気吸入による音鳴りの発生を抑えることができるとともに、マイクロバブルの安定供給および吐水器の特定部位における通水路中への取り付け構造の簡素化が可能で、さらに部品点数が少なくてすむバブル発生装置付吐水器およびその吐水器に設けられる吐水器用バブル発生アダプターを提供することである。
【課題を解決するための手段】
【０００６】
上記目的を達成するために、この発明は、流路途中に並列状態の複数のベンチュリ管部を備えたアタプターを着脱自在に設けたバブル発生装置付吐水器を提供する（請求項１）。
【０００７】
また、この発明は別の観点から、吐水器の流路途中に着脱自在に設けられる吐水器用バブル発生アダプターであって、並列状態の複数のベンチュリ管部を備えた吐水器用バブル発生アダプターを提供する（請求項２）。
【発明の効果】
【０００８】
一般に、水とマイクロバブル（微細気泡）の混在したものをベンチュリ管部の流水中に発生させるには、ベンチュリ管部の穴径と流速および水圧が密接に関係していること、そして、ベンチュリ管部の流水中において、例えば台所用の吐水器に求められる洗浄効率の高いマイクロバブルを発生させるためには、ベンチュリ管部の流水中の水の流速を上げる必要があること、また、前記流水中の水圧が低い場合は前記穴径を小さくして流速を上げる必要があることはよく知られている。
【０００９】
請求項１の発明では、バブル発生装置付吐水器の流路途中に並列状態の複数のベンチュリ管部を備えたアタプターを装着することにより、例えば上述したような洗浄効率の高いマイクロバブル入り洗浄水をキッチンシンクに吐出させることができる。すなわち、請求項１の発明では、単一の前記アタプターに複数のベンチュリ管部を並列状態で設けていることにより、複数のベンチュリ管部の長さを全て同一に設定することができるとともに、それぞれのベンチュリ管部の両端部分を全て同一平面上に位置させることができるようにし、それによって、マイクロバブルをそれぞれのベンチュリ管部の流水中において同時に発生させることができるとともに、その状態を維持したまま、これらを前記吐水器の流路におけるアタプターの下流側を経て吐出部から同時に吐出させることができる。
【００１０】
また、水の流速を上げるためにベンチュリ管部の穴径を小さくするとそのベンチュリ管部の吐水流量を稼ぐことはできないが、請求項１の発明では、複数のベンチュリ管部を備えているので、各ベンチュリ管部の穴径を適宜調整し、これらを組み合わせることにより、トータルとして複数のベンチュリ管部から前記吐水器の流路へ流出する吐水流量を快適に使用できる流量に設定することができる。その結果、請求項１の発明では、従来の例えば台所用の吐水器が持つ課題を解決することができる。すなわち、（１）空気吸入による音鳴りの発生を抑えることができる。（２）単一のアタプタに複数のベンチュリ管部を設け、このアタプターをバブル発生装置付吐水器の流路途中に取り付けるので、複数のベンチュリ管部によってトータル的にマイクロバブルを安定して供給することができる。（３）前記流路途中に単一のアタプターを設ける構成なので、ベンチュリ管部のアタプタ取り付け構造を簡素化でき、部品点数が少なくてすむ。
【００１１】
さらに、請求項１の発明では、前記流路途中にアタプターを着脱自在に設けるので、このアタプターの大きさや形状を適宜改良することにより、既設の例えば台所用の吐水器に容易に後付けすることができる。また、マイクロバブルの要否に応じアタプターを装着するかどうかを決めるだけでよく、つまり、マイクロバブルの要否に拘わらず吐水器側の部品は共用できる。
【００１２】
上記の観点から、請求項２の発明でも請求項１の発明と同様の効果を奏する。
【図面の簡単な説明】
【００１３】
【図１】この発明の一実施形態に係るバブル発生装置付吐水器を示す構成説明図である。
【図２】上記実施形態の要部を示す縦断面図である。
【図３】上記実施形態で用いられる吐水器用バブル発生アダプターを示す斜視図である。
【図４】この発明の他の実施形態に係る吐水器用バブル発生アダプターが適用されたバブル発生装置付吐水器を示す縦断面図である。
【図５】上記他の実施形態の要部を示す縦断面図である。
【発明を実施するための形態】
【００１４】
以下、この発明の実施形態について図面に基づいて説明する。図１〜図３は、この発明の一実施形態を示す。図１はバブル発生装置付吐水器の一例を示し、図２はシャワーヘッドの下流側に位置する根元部（基端部）の流路内に着脱自在に装着された、並列状態の複数のベンチュリ管部を備えた吐水器用バブル発生アダプターを示している。図３はそのアダプターを下流側斜め方向から見た図である。
【００１５】
図１〜図３において、本実施の形態に係る吐水器Ｄは、例えば浴室に設置されるものであって、シャワーヘッド１と、このシャワーヘッド１の根元側（基端側）に設けられたホース接続部１ａに接続されるシャワーホースＨとを備え、このシャワーホースＨの上流側には例えば湯水混合水栓（図示せず）が設けられている。そして、シャワーヘッド１は、シャワーヘッド本体２と、このシャワーヘッド本体２の開口部３を覆うシャワー板４とを備えたものであって、前記湯水混合水栓から導出されてシャワーホースＨ内の流路ｊを通り、シャワーヘッド本体２の上流側からシャワーヘッド本体２内の流路ｉを経て開口部３内に至った水が、シャワー板４に設けられた複数の貫通孔４ａからシャワーヘッド本体２の外部に吐出されるように構成されている。シャワーヘッド本体２は、合成樹脂からなり、中空湾曲状に成形された部材であって、上端部（先端部）に設けられた吐出部（頭部）５と、中央部から根元部（基端部）にかけて設けられたグリップ部６とを有している。そして、吐水器Ｄ内の流路は、シャワーホースＨ内の前記流路ｊと、これに連通するシャワーヘッド本体２内の前記流路ｉから構成される。
【００１６】
以下、特徴的構成について説明する。この発明では、吐水器Ｄは、流路ｉ，ｊの途中に並列状態の複数のベンチュリ管部７，８，９，１０を備えたアタプター１１を着脱自在に設けてなる。この単一のアタプター１１は合成樹脂（例えばＰＯＭ）からなり、シャワーヘッド１のホース接続部１ａにおける前記流路ｉ内に水密状態に嵌め込まれている。すなわち、アタプター１１はホース接続部１ａにシャワーヘッド２の下流側からＯリング２１を介して挿入されている。また、この発明では、真鍮製材料のアタプターを用いても良く、さらに、使用形態に応じて適宜材料よりなるアタプターを用いることができる。  
【００１７】
前記アタプター１１は、下流側に形成された円柱部１２と、上流側に形成された外向きフランジ１３と、このフランジ１３および円柱部１２を繋ぐテーパ面部１４とを有する。２０は、円柱部１２とテーパ面部１４を繋ぐ部分に形成され、前記Ｏリング２１が嵌合しているリング状のＯリング嵌合溝である。なお、図３はＯリング２１を省略した図である。そして、アタプター１１は、外向きフランジ１３の下流側の面ｍの略全面が厚肉のホース接続部１ａの上流側端面ｎに当接した状態で、かつ、前記Ｏリング２１がホース接続部１ａの内面ｐに水密状態に当接した状態で、前記流路ｉ内に嵌め込まれている。なお、アタプター１１の前記円柱部１２と前記フランジ１３の大きさは使用されるシャワーヘッド本体２の大きさに応じて適宜設定されうる。
【００１８】
そして、複数のベンチュリ管部７，８，９，１０の各穴ｈ１，ｈ２，ｈ３，ｈ４はアタプター１１を貫通して形成された貫通穴であり、穴ｈ１，ｈ２は穴ｈ３，ｈ４より大きい。これら穴ｈ１，ｈ２，ｈ３，ｈ４の高さ（長さ）は図２に示すように、円柱部１２の高さとテーパ面部１４の高さを合算したものに略等しい。さらに、複数の穴ｈ１，ｈ２，ｈ３，ｈ４の高さ（長さ）を全て同一に設定してある。また、各ベンチュリ管部７，８，９，１０は、それぞれ、円柱部１２の下流側端面Ｑに形成される大小二つの径を備えた出口開口１５，１５，１６，１６を有する。出口開口１５，１５は出口開口１６，１６より大きい。さらに、出口開口１５，１５，１６，１６は図３に示されているように、全て同一平面上に位置するよう設けられている。１７は、外向きフランジ１３によって形成された、アタプター１１の入口開口であり、１８，１８は、ベンチュリ管部７，８の穴ｈ１，ｈ２の入口開口であり、１９，１９は、ベンチュリ管部９，１０の穴ｈ３，ｈ４の入口開口であり、入口開口１８，１８は入口開口１９，１９より大きい。そして、湯水混合水栓から導出されて前記シャワーホースＨ内の流路ｊを通る水が入口開口１７に至り、ここから入口開口１８，１８および入口開口１９，１９へと分岐する。さらに、前記入口開口１８，１８と入口開口１９，１９も出口開口１５，１５，１６，１６の場合と同様に全て同一平面上に位置している。
【００１９】
さらに、図２において、ベンチュリ管部７，８の穴ｈ１，ｈ２は、縦断面が略流線形薄翼形状の部分２２，２３によって囲繞されている。ベンチュリ管部９，１０の穴ｈ３，ｈ４の場合も同様である。
【００２０】
而して、吐水器Ｄを快適に使用するため、また、使用水圧に応じて、必要な吐水流量に対し穴ｈ１，ｈ２，ｈ３，ｈ４内速度を速くする必要からベンチュリ管部７，８，９，１０の複数の穴ｈ１，ｈ２，ｈ３，ｈ４の穴径は適宜細く設定されており、穴ｈ１，ｈ２，ｈ３，ｈ４内速度を上げることにより高真空が発生してマイクロバブルが発生する。この際、入口開口１７から分岐した水がそれぞれ前記部分２２，２３によって形成された特異な形状の複数の穴ｈ１，ｈ２，ｈ３，ｈ４を流れるので、流速に支障のない効率の良い流れとなって穴ｈ１，ｈ２，ｈ３，ｈ４内の特定領域を高速で通過することにより負圧の状態になり、効率良く負圧の状態になること、および穴ｈ１，ｈ２，ｈ３，ｈ４を並列状態に設けていることの相乗効果によってマイクロバブルをそれぞれの穴ｈ１，ｈ２，ｈ３，ｈ４の流水中において同時に発生させることができ、しかも、穴ｈ１，ｈ２，ｈ３，ｈ４を並列状態に設けており出口開口１５，１５，１６，１６を全て同一平面上に位置させているので、マイクロバブルを発生させた状態を維持したまま、これらを出口開口１５，１５，１６，１６から効率よく合算させることができ、合算されたマイクロバブルを含む水を前記流路ｉにおけるアタプター１１の下流側に流出させることができる。結果として、より洗浄効果の高い気泡入り水を提供することができる。
【００２１】
図４、図５は、水栓本体に原水の供給流路を形成する可撓管を介して接続されたシャワヘッドを備えた台所用の湯水混合水栓（吐水器の一例）Ｄ’に適用したこの発明の他の実施形態を示す。図４、図５において、図１〜図３に示した符号と同じものは同一または相当物であり、湯水混合水栓Ｄ’は、湯水を混合する水栓本体３０と、水栓本体３０に原水の供給流路Ｉを形成する可撓管３２を介して接続されたシャワヘッド３３を備えている。シャワヘッド３３は、ホルダ部３４と、ホルダ３４の下流端に設けられる吐水口本体３５を有する。３６は、吐水口本体３５に設けた直放水口、３７は、吐水口本体３５に設けた散水口である。直放水口３６には例えばメッシュの周囲を合成樹脂材で縁取りした複数枚の散水板３６ａが設けられている。
【００２２】
この実施形態では、図１〜図３に示したアタプター１１はシャワヘッド３３の吐水口本体３５内部に挿入されている。３８は、吐水口本体３５内における直放水口３６の直上に形成された空間であり、空間３８は供給流路Ｉに連通する流路ｉを形成しており、この流路ｉ内にアタプター１１が図２に示したアタプター１１と同様の取り付け方で水密状態に嵌め込まれており、直放水状態及び散水状態の両方においてマイクロバブルが発生する。
【００２３】
なお、上記各実施形態では、アタプター１１として、四つ穴のタイプのものを用いたが、この発明では、使用水圧や吐水水量に応じて二つ穴や三つ穴、さらには五つ穴等の適宜の数の穴が形成されるとともに、これら穴は適宜の大きさに設定される。
【符号の説明】
【００２４】
７，８，９，１０  ベンチュリ管部
１１              アタプター
Ｄ                バブル発生装置付吐水器
ｉ                流路
【図１】
2015209723.tif 000003
【図２】
2015209723.tif 000004
【図３】
2015209723.tif 000005
【図４】
2015209723.tif 000006
【図５】
2015209723.tif 000007